(57)【要約】【課題】加熱殺菌処理が必要な内容物を収容することができるとともに当該内容物を容易に絞り出すことができる絞出し容器を提供する。【解決手段】低密度ポリエチレンを主材として、口部１１、胴部１２及び底部１３を備えたボトル形状に形成され、胴部１２の押圧によって口部１１から内容物を絞り出して使用される絞出し容器１であって、胴部１２の、口部１１と底部１３との中間よりも底部１３側の部分に、それぞれ胴部１２の周方向に沿って延びる複数本の横リブ２０が胴部１２の軸方向に向けて間隔を空けて並べて設けられていることを特徴とする絞出し容器１。【選択図】図１
2018172132.tif 000002
【特許請求の範囲】
【請求項１】
低密度ポリエチレンを主材として、口部、胴部及び底部を備えたボトル形状に形成され、前記胴部の押圧によって前記口部から内容物を絞り出して使用される絞出し容器であって、
前記胴部の、前記口部と前記底部との中間よりも前記底部側の部分に、それぞれ前記胴部の周方向に沿って延びる複数本の横リブが前記胴部の軸方向に向けて間隔を空けて並べて設けられていることを特徴とする絞出し容器。
【請求項２】
前記胴部の軸心を挟んだ両側に、それぞれ複数の前記横リブが前記胴部の軸方向に向けて間隔を空けて並べて設けられている、請求項１に記載の絞出し容器。
【請求項３】
前記胴部が、互いに対向する正面壁部分及び背面壁部分と、前記正面壁部分及び前記背面壁部分よりも幅の狭い一対の側壁部分とを有する扁平形状であり、
前記正面壁部分と前記背面壁部分とに、それぞれ複数の前記横向きリブが設けられている、請求項２に記載の絞出し容器。
【請求項４】
前記胴部は、前記正面壁部分の側からの正面視で、前記口部の側よりも前記底部の側の幅が広い下膨れの形状である、請求項３に記載の絞出し容器。
【請求項５】
低密度ポリエチレンにより形成された内層と外層の間にバリア層を備える、請求項１〜４の何れか１項に記載の絞出し容器。
【請求項６】
練り状またはペースト状の内容物を収容する用途に用いられるものである、請求項１〜５の何れか１項に記載の絞出し容器。
【請求項７】
内容量が１５０ｍｌ〜３００ｍｌであり、内容量１ｍｌあたりの重量が０．１ｇ以下である、請求項１〜６の何れか１項に記載の絞出し容器。
【発明の詳細な説明】
【技術分野】
【０００１】
本発明は、収容した内容物を絞り出して使用される絞出し容器に関する。
【背景技術】
【０００２】
例えば、おろしワサビ（練りワサビ）、おろしにんにく、おろし生姜、マヨネーズ、ケチャップなどの練り状ないしペースト状の内容物を収容する容器として、口部、胴部及び底部を備えたボトル形状を有し、その胴部を押圧することによって口部から内容物を絞り出して使用される絞出し容器が知られている。
【０００３】
このような絞出し容器は、胴部を押し潰し易くし、これにより内容物を容易に絞り出すことができるようにするために、比較的柔らかい低密度ポリエチレンを主材として形成されるのが一般的である（特許文献１参照）。
【先行技術文献】
【特許文献】
【０００４】
【特許文献１】特開２０１７−１９５６２号公報
【発明の概要】
【発明が解決しようとする課題】
【０００５】
各種容器に収容される内容物としては、容器に充填されて口部がアルミシール等のシール材で密封された後に、加熱殺菌処理を必要とするものがある。このような内容物の加熱殺菌処理は、例えば、内容物が充填され、口部が密封された容器を、所定時間（例えば３０分）、所定温度（例えば８０℃）に保持することで内容物の加熱殺菌を行い、その後、容器に冷水等を掛けて急冷することにより行われる。そして、このような加熱殺菌処理を必要とする内容物を収容する容器として、上記のような絞出し容器を用いることが要望されている。
【０００６】
しかし、低密度ポリエチレンを主材としてボトル状に形成された絞出し容器は、比較的耐熱性が低いため、内容物の充填後に上記した加熱殺菌処理を行うと、加熱により容器内圧が上昇して胴部が膨張変形し、次いで、急冷の際に容器が減圧変形することによって、胴部に永久変形が生じてしまうという問題があった。
【０００７】
これに対し、胴部の肉厚を厚くするなど、容器の内容量１ｍｌあたりの重量を大きくして、上記変形に耐え得る剛性を胴部に持たせた構成とすることが考えられる。しかし、このような構成とした場合では、胴部が硬くなって潰れにくくなり、内容物を絞り出す作業が困難になってしまうという問題が生じることになる。
【０００８】
本発明は、このような問題点を解決することを課題とするものであり、その目的は、加熱殺菌処理が必要な内容物を収容することができるとともに当該内容物を容易に絞り出すことができる絞出し容器を提供することにある。
【課題を解決するための手段】
【０００９】
本発明の絞出し容器は、低密度ポリエチレンを主材として、口部、胴部及び底部を備えたボトル形状に形成され、前記胴部の押圧によって前記口部から内容物を絞り出して使用される絞出し容器であって、前記胴部の、前記口部と前記底部との中間よりも前記底部側の部分に、それぞれ前記胴部の周方向に沿って延びる複数本の横リブが前記胴部の軸方向に向けて間隔を空けて並べて設けられていることを特徴とする。
【００１０】
本発明の絞出し容器は、上記構成において、前記胴部の軸心を挟んだ両側に、それぞれ複数の前記横リブが前記胴部の軸方向に向けて間隔を空けて並べて設けられているのが好ましい。
【００１１】
本発明の絞出し容器は、上記構成において、前記胴部が、互いに対向する正面壁部分及び背面壁部分と、前記正面壁部分及び前記背面壁部分よりも幅の狭い一対の側壁部分とを有する扁平形状であり、前記正面壁部分と前記背面壁部分とに、それぞれ複数の前記横向きリブが設けられているのが好ましい。
【００１２】
本発明の絞出し容器は、上記構成において、前記胴部は、前記正面壁部分の側からの正面視で、前記口部の側よりも前記底部の側の幅が広い下膨れの形状であるのが好ましい。
【００１３】
本発明の絞出し容器は、上記構成において、低密度ポリエチレンにより形成された内層と外層の間にバリア層を備えるのが好ましい。
【００１４】
本発明の絞出し容器は、練り状またはペースト状の内容物を収容する用途に用いることができる。
【００１５】
本発明の絞出し容器は、内容量が１５０ｍｌ〜３００ｍｌであり、内容量１ｍｌあたりの重量が０．１ｇ以下のものとすることができる。
【発明の効果】
【００１６】
本発明によれば、加熱殺菌処理が必要な内容物を収容することができるとともに当該内容物を容易に絞り出すことができる絞出し容器を提供することができる。
【図面の簡単な説明】
【００１７】
【図１】本発明の一実施の形態である絞出し容器の正面図である。
【図２】図１に示す絞出し容器の側面図である。
【図３】図１に示す絞出し容器の底面図である。
【図４】図１におけるＡ−Ａ線に沿う断面図である。
【発明を実施するための形態】
【００１８】
以下、図面を参照して、本発明をより具体的に例示説明する。
【００１９】
図１〜図４に示す本発明の一実施の形態である絞出し容器１は、おろしワサビ（練りワサビ）、おろしにんにく、おろし生姜などの練り状ないしペースト状であるとともに、絞出し容器１に充填された後に加熱殺菌処理を必要とする内容物を収容する用途に用いることができるものである。
【００２０】
この絞出し容器１は、低密度ポリエチレン（ＬＤＰＥ）を主材としてボトル形状に形成されており、口部１１、胴部１２及び底部１３を備えている。より具体的には、絞出し容器１は、主材である低密度ポリエチレンにより形成された内層と外層の間に、バリア層としてＥＶＯＨ層（エチレン−ビニルアルコール共重合樹脂層）を備えた積層構造を有している。内層とＥＶＯＨ層の間及び外層とＥＶＯＨ層の間には、それぞれ層間剥離を防止するための接着層が設けられている。
【００２１】
本実施の形態においては、絞出し容器１は、低密度ポリエチレンとＥＶＯＨとにより形成された積層構造のパリソンを押出ブロー成形（ＥＢＭ：Ｅｘｔｒｕｓｉｏｎ  Ｂｌｏｗ  Ｍｏｌｄｉｎｇ）することにより形成されている。
【００２２】
なお、絞出し容器１は、低密度ポリエチレンとＥＶＯＨ層との積層構造に限らず、低密度ポリエチレンを主材としてボトル形状に形成されていれば、例えば、低密度ポリエチレンの単層構造とするなど、その構成は種々変更可能である。また、絞出し容器１は、上記押出ブロー成形により形成されたものに限らず、低密度ポリエチレンを主材としてボトル形状に形成されていれば、例えば、低密度ポリエチレンにより予め有底筒状に形成されたプリフォームをブロー成形して形成されたものとするなど、他の方法により形成されたものとすることもできる。
【００２３】
口部１１は円筒状に形成されており、その先端は内容物の注出口１１ａとなっている。口部１１の開口端は平坦に形成されており、内容物の充填後に、当該開口端にたとえばアルミシール等のフィルム状のシール材を貼着することによって注出口１１ａを密封することができる。さらに、口部１１の外周面には雄ねじ１１ｂが一体に設けられており、この雄ねじ１１ｂにキャップ（不図示）をねじ結合させることで、注出口１１ａをキャップにより閉塞することができる。
【００２４】
胴部１２は、互いに対向する正面壁部分１２ａ及び背面壁部分１２ｂと一対の側壁部分１２ｃとを有する略筒状に形成されており、口部１１の下端に一体に連ねられている。胴部１２の内部は収容空間となっており、この収容空間に内容物を収容することができる。胴部１２は可撓性を有しており、手などによって押圧して容易に押し潰すことができる。
【００２５】
図３に示すように、正面壁部分１２ａと背面壁部分１２ｂとの間隔は、一対の側壁部分１２ｃの間隔よりも狭くなっている。すなわち、本実施の形態においては、胴部１２は、正面壁部分１２ａ及び背面壁部分１２ｂの幅よりも一対の側壁部分１２ｃの幅が狭い扁平形状となっている。
【００２６】
また、図１に示すように、本実施の形態においては、胴部１２は、正面壁部分１２ａの側からの正面視で、口部１１の側よりも底部１３の側の幅が広い下膨れの形状となっている。
【００２７】
胴部１２の正面壁部分１２ａ及び背面壁部分１２ｂの、口部１１と底部１３との中間よりも底部１３の側の部分には、それぞれ４本の横リブ２０が設けられている。すなわち、胴部１２の軸心を挟んだ両側に、それぞれ胴部１２の図１における上下方向の中央位置よりも下方側の部分に位置するように４本の横リブ２０が設けられている。
【００２８】
これらの横リブ２０は、それぞれ胴部１２の周方向（図１における左右方向）に沿って延びており、その長さは互いに略同一となっている。また、図２、図４に示すように、これらの横リブ２０は、それぞれ胴部１２の内側に向けて半円状に凹む凹溝状に形成されている。図１、図２に示すように、正面壁部分１２ａに設けられる４本の横リブ２０は、互いに胴部１２の軸方向つまり上下方向に向けて間隔を空けて並べて設けられ、背面壁部分１２ｂに設けられる４本の横リブ２０は、互いに胴部１２の軸方向つまり上下方向に向けて間隔を空けて並べて設けられている。図示する場合では、隣り合う横リブ２０の間隔は、何れも、当該横リブ２０の溝幅すなわち上下方向幅の２倍程度とされている。なお、正面壁部分１２ａに設けられる４本の横リブ２０と、背面壁部分１２ｂに設けられる４本の横リブ２０とは、胴部１２の軸心を挟んで対称に配置されている。
【００２９】
これらの横リブ２０は、胴部１２の剛性を高めるとともに、胴部１２の内圧の変化に応じて当該内圧の変化を吸収するように変形することができる。
【００３０】
底部１３は胴部１２の下端に一体に連なり、胴部１２の下端を閉塞している。底部１３の中央側の部分は上方に向けてドーム状に凹む凹部１３ａとなっており、当該凹部１３ａには押出ブロー成形におけるパリソンの食切り部１４が設けられている。図３に示すように、食切り部１４は、一方の側壁部分１２ｃの側から他方の側壁部分１２ｃの側に向けて真っ直ぐに延びるリブ状の食切り本体部１４ａと、それぞれ食切り本体部１４ａから該食切り本体部１４ａに直交するように正面壁部分１２ａの側に向けて真っ直ぐに延びるとともに互いに間隔を空けて並ぶリブ状の２本の食切り枝部１４ｂと、それぞれ食切り本体部１４ａから該食切り本体部１４ａに直交するように背面壁部分１２ｂの側に向けて真っ直ぐに延びるとともに互いに間隔を空けて並ぶリブ状の３本の食切り枝部１４ｃと、を有している。底部１３の凹部１３ａに設けられる食切り部１４を上記形状のものとしたことにより、底部１３の剛性を高めることができる。
【００３１】
このような構成を有する絞出し容器１は、胴部１２の収容空間に収容されている内容物を、手などによって胴部１２を押圧して押し潰すことにより、口部１１の注出口１１ａから外部に絞り出すことができる。
【００３２】
絞出し容器１は、比較的柔らかい材質である低密度ポリエチレンを主材として形成されているので、胴部１２は押し潰し易く、これにより内容物を容易に絞り出すことができる。
【００３３】
また、本実施の形態の絞出し容器１では、絞出し容器１を低密度ポリエチレンとＥＶＯＨ層（バリア層）とを有する積層構造に形成するようにしているので、胴部１２を適度な可撓性を有する柔らかいものとしつつ、胴部１２の酸素透過に対するバリア性を高めて、内容物の酸化を抑制することができる。
【００３４】
ここで、バリア層として使用されているＥＶＯＨ層は、エチレン含有量が２９〜４４ｍｏｌ％のＥＶＯＨにより形成されたものであるのが好ましい。エチレン含有量が２９〜４４ｍｏｌ％のＥＶＯＨによりＥＶＯＨ層を形成することにより、適度の酸素バリア性能を確保しつつ、内容物を絞り出す際にＥＶＯＨ層にクラック等が発生することを防止することができる。これに対して、エチレン含有量が２９ｍｏｌ％未満のＥＶＯＨによりＥＶＯＨ層を構成すると、内容物を絞り出す際に、ＥＶＯＨ層にクラック等が発生するおそれがある。また、エチレン含有量が４４ｍｏｌ％を超えるＥＶＯＨによりＥＶＯＨ層を構成すると、酸素バリア性能が不足することになる。
【００３５】
さらに、本実施の形態の絞出し容器１では、胴部１２を扁平形状としているので、内容物を絞り出す際に胴部１２を押圧し易くして、内容物を絞り出す作業をさらに容易にすることができる。
【００３６】
さらに、本実施の形態の絞出し容器１では、胴部１２を下膨れの形状としているので、胴部１２をより底部１３の側において押圧し易くして、使用時に、底部１３の側に溜まった内容物を効率良く注出口１１ａの側に押し出して外部に絞り出すことができる。
【００３７】
上記の通り、絞出し容器１は、胴部１２への充填後に加熱殺菌処理を必要とする内容物を収容する用途に用いることができる。
【００３８】
内容物の加熱殺菌処理は、例えば、口部１１を通して胴部１２の収容空間に所定量の内容物を充填し、口部１１の開口端にシール材を貼着して注出口１１ａを密封した後、当該密封状態の内容物入りの絞出し容器１を、所定時間（例えば３０分）、所定温度（例えば８０℃）に保持することで内容物の殺菌を行い、その後、絞出し容器１に冷水等を掛けて急冷することにより行われる。
【００３９】
ここで、胴部に横リブが設けられないボトル形状の低密度ポリエチレンを主材とした絞出し容器では、内容物の充填後に口部の注出口を密封して加熱殺菌処理を行うと、低密度ポリエチレンの耐熱性が比較的低いことから、加熱により容器内圧が上昇することで胴部が膨張変形し、次いで急冷の際に容器内が減圧変形することで、胴部に永久変形が生じることになる。一方、当該永久変形を防止するために、胴部の肉厚を厚くするなど、容器の内容量１ｍｌあたりの重量を大きくして、上記変形に耐え得る剛性を胴部に持たせた構成とすると、胴部が硬くなって潰れにくくなり、内容物を絞り出す作業が困難になってしまう。
【００４０】
これに対して、本実施の形態の絞出し容器１では、胴部１２の軸心を挟んだ両側の、口部１１と底部１３との中間よりも底部１３の側の部分に、それぞれ胴部１２の周方向に沿って延びる４本の横リブ２０を胴部１２の軸方向に向けて間隔を空けて並べて設けるようにしたので、胴部１２の肉厚を厚くして胴部１２の剛性を高めるなどの対策を施すことなく、胴部１２を内容物の絞り出しを容易に行い得る程度の適度な可撓性を有する構成としたまま、当該横リブ２０により胴部１２の所望部位の剛性を高めつつ加熱殺菌処理において生じる胴部１２の内圧の増減を当該横リブ２０の変形により吸収することができるようにして、加熱殺菌処理を行うことによって胴部１２に永久変形が生じることを防止することができる。
【００４１】
このように、本実施の形態の絞出し容器１では、胴部１２を内容物の絞り出しを容易に行い得る程度の適度な可撓性を有する構成としたまま加熱殺菌処理による胴部１２の永久変形を防止することができるので、加熱殺菌処理が必要な内容物を収容することができるとともに当該内容物を容易に絞り出すことができる。
【００４２】
また、本実施の形態の絞出し容器１では、胴部１２の軸心を挟んだ両側に、それぞれ４本の横リブ２０を設けるようにしているので、加熱殺菌処理において生じる胴部１２の内圧の増減を胴部１２の軸心を挟んだ両側において効果的に吸収することができる。これにより、加熱殺菌処理を行うことによって胴部１２に永久変形が生じることをより確実に防止することができる。
【００４３】
さらに、本実施の形態の絞出し容器１では、胴部１２を扁平形状とし、その正面壁部分１２ａ及び背面壁部分１２ｂとに、それぞれ４本の横リブ２０を設けるようにしているので、加熱殺菌処理において生じる胴部１２の内圧の増減を、扁平な胴部１２の軸心を挟んだ両側において効果的に吸収することができる。これにより、加熱殺菌処理を行うことによって胴部１２に永久変形が生じることをより確実に防止することができる。
【００４４】
さらに、本実施の形態の絞出し容器１では、胴部１２を、扁平形状であるとともに正面壁部分１２ａの側からの正面視で、口部１１の側よりも底部１３の側の幅が広い形状としたので、加熱殺菌処理において、横リブ２０が設けられる胴部１２の底部１３の側において内圧の変化を効果的に吸収することができる。これにより、加熱殺菌処理を行うことによって胴部１２に永久変形が生じることをより確実に防止することができる。
【００４５】
さらに、本実施の形態の絞出し容器１では、底部１３に設けられる食切り部１４を、一方の側壁部分１２ｃの側から他方の側壁部分１２ｃの側に向けて真っ直ぐに延びるリブ状の食切り本体部１４ａと、それぞれ食切り本体部１４ａから該食切り本体部１４ａに直交するように正面壁部分１２ａの側に向けて真っ直ぐに延びるとともに互いに間隔を空けて並ぶリブ状の２本の食切り枝部１４ｂと、それぞれ食切り本体部１４ａから該食切り本体部１４ａに直交するように背面壁部分１２ｂの側に向けて真っ直ぐに延びるとともに互いに間隔を空けて並ぶリブ状の３本の食切り枝部１４ｃと、を有する構成として、底部１３の剛性を高めるようにしたので、加熱殺菌処理により胴部１２の内圧が増加したときに、凹部１３ａが下方に向けて変形してしまうことを防止することができる。これにより、上記した横リブ２０による胴部１２の永久変形の防止効果と相まって、絞出し容器１の形状を確実に維持することができる。
【００４６】
上記構成を有する絞出し容器１は、内容量が１５０ｍｌ〜３００ｍｌであるとともに、内容量１ｍｌあたりの重量が０．１ｇ以下のものとすることができる。上記した本実施の形態の絞出し容器１の内容量は１７５ｍｌ、重量は１４ｇであり、内容量１ｍｌあたりの重量は０．０８ｇである。
【００４７】
ここで、上記の通り、胴部に横リブが設けられない従来の低密度ポリエチレンを主材とした絞出し容器では、加熱殺菌処理により生じる胴部の永久変形の防止と、胴部を適度な可撓性を有するものとして内容物の絞り出し易さの維持とを両立することは困難であるが、本出願人は、特に、内容量が１５０ｍｌ〜３００ｍｌの場合に、胴部の永久変形が顕著に生じること、また、当該永久変形を防止するために胴部の肉厚を厚くして加熱殺菌処理により生じる胴部の永久変形を防止しようとした場合に胴部が硬くなり過ぎることを見出した。すなわち、本出願人は、内容量が１５０ｍｌ〜３００ｍｌの場合に、特に、加熱殺菌処理により生じる胴部の永久変形の防止と、胴部を適度な可撓性を有するものとして内容物の絞り出し易さの維持とを両立することが困難になるという新たな課題を見出した。
【００４８】
そして、当該課題を解決するための手段を検討するために、図１に示す絞出し容器１と同一の形状を有する実施例の絞出し容器と、図１に示す絞出し容器１と同様の基本形状を有するが横リブが設けられない構成の比較例１の絞出し容器と、図１に示す絞出し容器１と同様の基本形状を有するが胴部に横リブに替えて縦リブを設けた構成の比較例２の絞出し容器とを用意し、これらの絞出し容器のそれぞれに内容物として１６０ｇのペースト状のショウガを充填し、口部をアルミシールで密封した後、３０分間、８０℃のシャワーを浴びせて内容物の殺菌処理を行い、その後、冷却水により急冷して、胴部に永久変形が生じるか否かを確認する実験を行った。
【００４９】
その結果、胴部に横リブが設けられない比較例１の絞出し容器と、胴部に縦リブを設けた比較例２の絞出し容器では、加熱殺菌処理後の胴部に永久変形が生じたが、胴部に横リブを設けた実施例の絞出し容器では、加熱殺菌処理後の胴部に永久変形が生じないことを確認した。
【００５０】
本発明は前記実施の形態に限定されるものではなく、その要旨を逸脱しない範囲で種々変更可能であることはいうまでもない。
【００５１】
例えば、前記実施の形態においては、絞出し容器１の主材となる低密度ポリエチレンは、低密度ポリエチレンを主成分とした樹脂材料により形成されていれば、例えば、低密度ポリエチレンに他種類の樹脂材料ないし添加剤等を混ぜた樹脂材料により形成された構成とすることもできる。
【００５２】
また、前記実施の形態においては、胴部１２を扁平形状のものとし、横リブ２０を、胴部１２の正面壁部分１２ａ及び背面壁部分１２ｂに設けるようにしているが、これに限らず、胴部１２の形状に応じて、横リブ２０を、口部１１と底部１３との中間よりも底部１３の側の部分であれば、種々の部分に設けることができる。
【００５３】
さらに、胴部１２は、上記した扁平形状に限らず、例えば円形の横断面形状や楕円形の横断面形状などの他の形状とすることもできる。また、胴部１２は、上記した下膨れの形状に限らず、口部１１の側と底部１３の側が同一の幅となる形状など他の形状とすることもできる。
【００５４】
さらに、前記実施の形態においては、胴部１２の軸心を挟んだ両側に、それぞれ４本の横リブ２０を設けるようにしているが、これに限らず、それぞれの側に複数本の横リブ２０が設けられていれば、その本数は任意に変更可能である。
【００５５】
さらに、前記実施の形態においては、横リブ２０を胴部１２の内側に向けて半円状に凹む凹溝状としているが、横リブ２０を胴部１２の外側に向けて半円状に突出する凸状に形成することもできる。また、何れの場合においても、横リブ２０の横断面形状を半円状以外の形状とすることもできる。
【００５６】
さらに、前記実施の形態においては、絞出し容器１を、おろしワサビ（練りワサビ）、おろしにんにく、おろし生姜等の練り状ないしペースト状の内容物を収容する用途に用いられるものとしたが、これに限らず、例えばマヨネーズやケチャップ等の他の練り状ないしペースト状の内容物や、練り状ないしペースト状ではない内容物など、他の内容物を収容する用途に用いることもできる。また、絞出し容器１を、加熱殺菌処理を必要としない内容物を収容する用途に用いることもできる。
【符号の説明】
【００５７】
１    絞出し容器
１１    口部
１１ａ  注出口
１１ｂ  雄ねじ
１２    胴部
１２ａ  正面壁部分
１２ｂ  背面壁部分
１２ｃ  側壁部分
１３    底部
１４    食切り部
１４ａ  食切り本体部
１４ｂ  食切り枝部
１４ｃ  食切り枝部
２０    横リブ
【図１】
2018172132.tif 000003
【図２】
2018172132.tif 000004
【図３】
2018172132.tif 000005
【図４】
2018172132.tif 000006